(57)【要約】【課題】カードホルダに保持されるカードについて、そのカードの運搬容器に対する収容状態に余裕を与え、カードの差込み及び取り外しの利便性を向上させる。【解決手段】カードホルダ１に収容されるカードは、互いに対向する前面板３０及び後面板２０で保持される。後面板２０は、その下端部に内側（後面板側）から外側（前面板側）に向けて屈曲形成された案内面２３を備える。この案内面２３によって案内されるカード端部は外側に向けて折り曲げられながらカードホルダ１に収容されることになる。この状態を、カードを平板状の状態のままでカードホルダ１に収容した場合と比較すると、カードの投影面積（カードを投影することで平面に映し出される影の面積）は縮小される。【選択図】      図１
2006243522.tif 000002
【特許請求の範囲】
【請求項１】
収容されたカードを互いに対向する前面板及び後面板で保持するカードホルダにおいて、カードの端部を前記前面板側又は後面板側へ案内する案内面を具備したことを特徴とするカードホルダ。
【請求項２】
前記案内面は、前記前面板及び後面板によるカード当接領域よりも周辺側に位置するように設けられている請求項１に記載のカードホルダ。
【請求項３】
前記後面板は透孔又は凹部を備え、該透孔又は凹部は前記カード当接領域から外れた位置に設けられていることを特徴とする請求項２に記載のカードホルダ。
【請求項４】
前記後面板は、前記前面板側に突設された突条を備え、該突条は、前記透孔又は凹部に近接配置されたことを特徴とする請求項３に記載のカードホルダ。
【請求項５】
前記案内面は前記前面板の基端に向けて形成されていることを特徴とする請求項１から４のいずれか一項に記載のカードホルダ。
【発明の詳細な説明】
【技術分野】
【０００１】
本発明は、例えば、運搬用容器内に収容された収容物又はその収容物の配送先を示す文字、記号又はバーコードが表示されたカードを保持するためのカードホルダに関するものである。
【背景技術】
【０００２】
特許文献１のカードホルダは、大型カードと小型カードを保持することを可能にするため、カード保持部を二段構成とするカードホルダを提案している。特許文献１のカードホルダは、周囲よりも一段凹んだ領域を小型カード保持部として形成し、小型カード保持部より一段高く、小型カード保持部を包含する領域を大型カード保持部として形成する。特許文献１は、カードが大型カードであればカードを大型カード保持部に配置し、小型カードであればカードを小型カード保持部に配置している。
【０００３】
二種類のサイズのカードを保持するカードホルダとしては、他に特許文献２のカードホルダが知られている。特許文献２のカードホルダは、第１のカード押え部材と第２のカード押え部材とを設け、装着時には梱包箱の外面に沿う状態となる背板部材と第２のカード押え部材とでカードを一枚保持し、第２のカード押え部材と第１のカード押え部材とでカードを一枚保持する構成を採用している。すなわち、特許文献２のカードホルダは、第２のカード押え部材と第１のカード押え部材とで、カードを一枚差込むことのできる第１のカード差込み部を形成し、背板部材と第２のカード差込み部とでカードを一枚差込むことのできる第２のカード差込み部を形成している。
【特許文献１】実開平２−１０８８５１号公報
【特許文献２】特開平１０−２３６０５２号公報
【発明の開示】
【発明が解決しようとする課題】
【０００４】
カードホルダを製作するにあたっては、運搬容器の大きさに対応できるようにしているが、それによって運搬容器の大きさにカードホルダが対応できたとしても、カードが一定のサイズ規格に決められていると、運搬容器のカード収容部位に対して余裕をもってカードを収容できなくなる可能性がある。とくに、より小さい運搬容器のカード収容部位に取り付けられたカードホルダに規格のカードを保持して収容しようとしても、カードが大きすぎて収容できないか、もしくは、収容できたとしてもカードの収容状態が窮屈になってカードの差込み及び取り外しの作業が面倒になる。
【０００５】
特許文献１に記載されたカードホルダの場合、大型カード保持部及び小型カード保持部を備えて２種類のサイズのカードに対応することができるようにしているが、そのカードホルダは、カード保持部に収容されたカードの収容状態そのものを変化させる工夫は何ら講じられていない。たとえば、運搬容器のカード収容部位と同等サイズのカードを収容させようとすると、運搬容器のカード収容部位とカード端部との間に隙間がなく、カード端部がカード収容部位に摺接してかみ合うようになり、カードを差し込むにしても、取り外すにしてもその作業は面倒である。こうした事情は特許文献２に記載されたカードホルダでも同様で、その不都合を解決することはできない。
【０００６】
この発明は、上記のような従来技術に存在する問題点に着目してなされたものである。その目的とするところは、カードホルダに収容されるカードについて、そのカードの運搬容器に対する収容状態に余裕を与え、カードの差込み及び取り外しの利便性を向上させることにある。
【課題を解決するための手段】
【０００７】
請求項１に記載の発明は、収容されたカードを互いに対向する前面板及び後面板で保持するカードホルダにおいて、カードの端部を前記前面板側又は後面板側へ案内する案内面を具備したことを要旨とする。
【０００８】
この発明によれば、カードの端部は、カードホルダに収容されると案内面によって前面板側又は後面板側に指向されることとなる。たとえば、平板状のカードをその状態を維持したままでカードホルダに収容する場合と比較すると、カードの端部が前面板側又は後面板側に指向されることに応じて、カードの投影面積（カードを投影することで平面に映し出される影の面積）が縮小するため、よりサイズの大きいカードの収容を可能にする。また、カードが所定のサイズに決められているならば、案内面によって前面板側又は後面板側に指向されるカードの端部とは反対側の端部とカードの収容部位との間が拡張されてカードの収容状態に余裕を与える。
【０００９】
請求項２に記載の発明は、請求項１に記載の発明において、前記案内面は、前記前面板及び後面板によるカード当接領域よりも周辺側に位置するように設けられたことを要旨とする。
【００１０】
この発明によれば、前面板及び後面板によるカード当接領域は、案内面よりもカードホルダの中央側を含むように設けられることになるため、案内面に案内されて前面板側又は後面板側に指向された状態のカードの端部はそのままの状態が維持されつつ、そのカード当接領域によってカードの指向を変化させることが可能となる。
【００１１】
請求項３に記載の発明は、請求項２に記載の発明において、前記後面板は透孔又は凹部を備え、該透孔又は凹部は前記カード当接領域から外れた位置に設けられていることを要旨とする。
【００１２】
カード当接領域によってカードホルダでの保持状態が確定されたカードについて前面板側から透孔又は凹部に向けて押圧力を加えると、その押圧力によって、カードはその押圧力が加えられた箇所を中心にして前面板側に指向するように変化される。この発明によれば、たとえば、カードをカードホルダから取り外す場合は、カード当接領域において前面板と後面板とに保持されていたカードが前面板側に折れ曲がることから、カードがつかみやすくなる。
【００１３】
請求項４に記載の発明は、請求項３に記載の発明において、前記後面板は、前記前面板側に突設された突条を備え、該突条は、前記透孔又は凹部に近接配置されたことを要旨とする。
【００１４】
この発明によれば、前面板側から透孔又は凹部に向けて押圧力が加えられるとカードはその箇所を中心にして指向が変化されるが、その変化は突条によって支えられることになる。突条の構成によって、案内面に案内されている端部とは反対側のカードの端部と後面板と間により大きい間隙が生じるようにカードの指向を変化させることができる。
【００１５】
請求項５に記載の発明は、請求項１から４のいずれか一項に記載の発明において、前記案内面は前記前面板の基端に向けて形成されていることを要旨とする。
この発明によれば、カードホルダに収容されて前面板側に指向されるカードの端部は、前面板の基端にまで到らしめられる。カードホルダに保持されて前面板側に指向されるカードの端部は、その指向される度合をより大きくすることができる。
【発明の効果】
【００１６】
本発明によれば、カードホルダに保持されるカードについて、そのカードの運搬容器に対する収容状態に余裕を与え、カードの差込み及び取り外しの利便性を向上させることができる。
【発明を実施するための最良の形態】
【００１７】
以下、カードホルダの一実施形態を図１〜図６にしたがって説明する。なお、以下の説明では、図６に示されるような使用形態を基準として、「上方」、「下方」、「外側」（後面板側を意味する。）又は「内側」（前面板側を意味する）と述べることにする。
【００１８】
図１及び図２に示すとおり、カードホルダ１は、ポリプロピレン等の合成樹脂により一体形成されている。このカードホルダ１は、平板状の下面板１０と、その下面板１０に連設され（この連設構成については後で述べる。）、下面板１０の上面に載置されて下面板１０と交差する方向（上方）に延設された後面板２０と、下面板１０の上面に立設されて前記後面板２０に対向する複数の前面板３０とから構成されている。
【００１９】
図１に示すとおり、下面板１０は略四角板状に形成され、肉厚は外側ほど厚くなるように構成されている。下面板１０はその下面に外側ほど高くなるテーパ面を有する止め部１１を備え、下面板１０の内側には切欠き１２を備えている。
【００２０】
図３及び図４に示すとおり、下面板１０の切欠き１２と後面板２０とは連設片２１を介して連設されている。連設片２１はヒンジ機構をなすように、後面板２０の長手方向の端部であって下面板１０の上面に沿って延びるように設けられる後面板２０の底面２２と、下面板１０の切欠き１２とを結ぶように設けられている。連設片２１の肉厚は、下面板１０や後面板２０の底面２２の肉厚よりも薄くなるように設定されている。これは、後面板２０と前面板３０とを対向配置させる際に、それらを回動させやすくするためである。また、図１で示すように、底面２２が前面板３０の基端部３１に到るまで延びており、後面板２０は、その基端部側から上方に向けて屈曲形成されている。なお、切欠き１２の切欠き長であるが、後面板２０が前面板３０との間で好適な当接状態を得ることができるように決められる。切欠き長が短ければ、後面板２０は内側に配されることからその当接力は弱まり、逆に長ければ、後面板２０は外側に配されることからその当接力が強まる。
【００２１】
底面２２から上方へ延設され、後で述べる運搬容器２の側壁にほぼ沿って延びる部位とは異なって、外側へ向けて屈曲形成されている部位が案内面２３である。図１及び図２に示すとおり、案内面２３は、後面板２０の長手方向の幅全体にわたって設けられ、後面板２０の上方から下方に向けて徐々に外側へ突出するような円弧面として提供されている。案内面２３は、前面板３０の基端部３１を指向するように延びており、その最下部は前面板３０の基端部３１と対向配置されている（図６参照）。
【００２２】
図１及び図２に示すとおり、後面板２０は、案内面２３の上方であって、後で述べるカード当接領域から外れた位置に長方形状の透孔２４を備えている。この透孔２４は、後面板２０の長手方向に沿って設けられている。
【００２３】
後面板２０は、その後面板２０の外側の面（前面）であって、透孔２４の上方に突条２５を備えている。突条２５は、後面板２０の長手方向に延設されて、断面四角形状をなしている。突条２５の底面は前記透孔２４の内面と面一となるように、突条２５と透孔２４とは互いに隣接配置されている。また、後面板２０は、その後面板２０の内側の面（裏面）であって、透孔２４を囲むように突出部２６が設けられている。換言すれば、透孔２４は、突出部２６が形成された肉厚の後面板２０の部位に対して設けられているということができる。
【００２４】
前面板３０は、中央前面板３０ａと下方前面板３０ｂとから構成されている。中央前面板３０ａ及び下方前面板３０ｂは、どちらとも下面板１０のほぼ中央前端（中央外側端）に立設され、先端側で屈曲して断面「く」の字形状を呈している。中央前面板３０ａは、中央に四角形状の抜き孔を備え、基端部３１ａから屈曲部３２ａまでは内側に向けて延設されており、その屈曲部３２ａから先端部３３ａまでは外側に向けて延設されている。図１及び図６に示すとおり、屈曲部３２ａは、カードホルダ１に収容されるカードのほぼ中央を後面板２０とで挟持するようにその高さが決められている。後面板２０の構成との関係では、屈曲部３２ａは透孔２４から所定間隔をおいた下方に位置しているということができる。図２に示すとおり、正面視で後面板２０が中央前面板３０ａによって覆われる領域（下方前面板３０ｂによって囲まれる領域を含む。）は、後面板２０及び前面板３０によるカード当接領域として提供されている。換言すれば、後面板２０及び前面板３０が互いに対向配置される領域の少なくとも一部において、それらの間隙に挿入されるカードと後面板２０及び前面板３０は当接することになることから、その領域をカード当接領域ということにするのである。したがって、図２でいえば、中央前面板３０ａの周縁によって囲まれる領域がカード当接領域ということになる。
【００２５】
下方前面板３０ｂは、中央前面板３０ａの前記抜き孔内に収まるように設けられ、下方前面板３０ｂ自身も中央に四角形状の抜き孔を備えている。下方前面板３０ｂの全体形状は、中央前面板３０ａと同様に、基端部３１ｂから屈曲部３２ｂまでは内側に向けて延設されており、その屈曲部３２ｂから先端部３３ｂまでは外側に向けて延設されている。つまり、中央前面板３０ａと下方前面板３０ｂとはサイズの違いこそあれ、全体の形状はほぼ同一であるということができる。図１及び図６に示すとおり、屈曲部３２ｂは、カードホルダ１に収容されるカードの下方を後面板２０とで挟持するようにその高さが決められている。後面板２０の構成との関係では、屈曲部３２ｂは案内面２３から所定間隔をおいた上方に位置しているということができる。なお、屈曲部３２ａ、３２ｂの配置であるが、基端部３１ａ、３１ｂからの屈曲度をより大きくして内側となるようにすれば、後面板２０との当接力は強まり、逆にその屈曲度を小さくして外側となるようにすれば、後面板２０との当接力は弱まる。
【００２６】
カードホルダ１は、運搬容器２の取付部４１にセットされる。図５に示すとおり、取付部４１は、運搬容器２の側面に設けられた横フランジ４２及び縦フランジ４３によって囲まれる空間である。取付部４１の中央下端部には運搬容器２の側壁から外側へ突出された係止突部４４ａが設けられ、取付部４１の左右下端部にはそれぞれ運搬容器２の側壁から外側へ突出された係止リブ４４ｂが設けられている。取付部４１の下端をなす横フランジ４２には、所定形状の係止孔４５が設けられている。
【００２７】
図３及び図４は、射出成形された状態のカードホルダ１の展開図である。この状態から後面板２０の底面２２を下面板１０の上面と接するように回動させる。つまり、後面板２０（前面板３０）を前面板３０（後面板２０）に向けて約１８０度回動させるのである。このときの下面板１０及び後面板２０の回動は連設片２１が折り曲げられて変形することで達成されている。後面板２０と前面板３０とは、下面板１０の切欠き１２の切欠き長と前面板３０の基端部３１ａ、３１ｂから屈曲部３２ａ、３２ｂに到るまでの屈曲度とによって、互いに好適な当接力が得られるようになっている。回動されて前面板３０に対向配置された後面板２０には、元の形状（図３及び図４に示すような形状）に戻るような復元力が作用する。したがって、後面板２０には、前面板３０から離間する方向への力が作用していることになる。
【００２８】
図６は、運搬容器２の取付部４１にカードホルダ１がセットされた状態を表している。このセット状態では、カードホルダ１の下面板１０の内側の端部は、運搬容器２の横フランジ４２と係止突部４４ａ及び係止リブ４４ｂとの間の空隙に挿入され、また、カードホルダ１の下面板１０の下面に設けられた止め部１１は、運搬容器２の横フランジ４２に設けられた係止孔４５に挿入される。これらカードホルダ１の下面板１０と運搬容器２の取付部４１との係合関係は、運搬容器２の側壁に後面板２０が当接することと合わせて、上で述べた前面板３０から離間する方向へ後面板２０に作用する力（復元力）を吸収することになる。この復元力の吸収によって、カードホルダ１は運搬容器２の取付部４１に脱落することなくセットされることになる。
【００２９】
運搬容器２にセットされたカードホルダ１にはカードが取り付けられる。図６は、カードがカードホルダ１に収容された状態を図示したものである。カードは、その端部が後面板２０と中央前面板３０ａの屈曲部３２ａとの間に挿通され、さらに、後面板２０と下方前面板３０ｂの屈曲部３２ｂとの間に挿通される。そして、後面板２０に設けられた案内面２３によってカードの端部はその指向が変化し、外側に向かうようになる。案内面２３は、前面板３０の基端部３１ａ、３１ｂに対向する位置まで延設されているから、カードは、その基端部３１ａ、３１ｂに当接するまで挿入されることになる。カードの端部は、案内面２３によってその指向が変化され、いわば丸く折り曲げられた状態となる。そのカードの折り曲げられた状態であるが、下方前面板３０ｂの屈曲部３２ｂと後面板２０との当接関係によって、その状態がそのまま保持されることになる。
【００３０】
不必要になったカードのカードホルダ１からの取り外しには、まず、外側から内側に向けて押圧力を与える。ここでは、この押圧力は作業者の指によるものであるとする。作業者は、後面板２０の透孔２４に向けて外側からカードを指で押し付ける。図７はその状態を示したものであるが、指は、透孔２４にカードと共にくい込んでいくことから、そこを中心としてカードは外側に向けて変形することになる。このとき、後面板２０の透孔２４に隣接配置される突条２５が支点となってカードの外側に向かう変形を支援することから、カードはより一層大きく変形することになる。外側に変形されたカードを引き上げれば、カードホルダ１からのカード取り外し作業は完了する。
【００３１】
上記実施形態のカードホルダによれば、以下のような効果を得ることができる。
（１）後面板２０の案内面２３は、外側に向かうように形成されている。したがって、カードがカードホルダ１に収容される際、カードの端部が案内面２３によって前面板３０の基端部３１ａ、３１ｂを指向するように案内される。カードを平板状の状態を維持したままでカードホルダ１に収容する場合と比較すると、カードの投影面積（カードを投影することで平面に映し出される影の面積）が縮小するため、よりサイズの大きいカードの収容が可能になる。また、カードが所定のサイズに決められているならば、案内面２３によって外側に指向されるカードの端部とは反対側の端部（図６でいうカード上端部）と運搬容器２の取付部４１との間が拡張されてカードの収容状態に余裕を与えることができる。したがって、運搬容器２の取付部４１の内域においてカードをカードホルダ１に対して取り付ける際も、カードホルダ１からカードを取り外す際もどちらとも利便性を高めることができる。
【００３２】
（２）案内面２３は、下方になるほど徐々に外側に突出する円弧面として提供されている。したがって、カードホルダ１に収容されるカードの端部を、その案内面２３に沿って円滑に案内することができ、カード端部の指向を円滑に変化させることができる。また、下方前面板３０ｂの屈曲部３２ｂは、案内面２３よりも上方であって、所定間隔（若干）をおいて後面板２０と当接することから、案内面２３に案内されたカードをその状態のままで保持することが可能となる。
【００３３】
（３）カード当接領域ではカードホルダ１に収容されているカードは後面板２０及び前面板３０によって保持されていることから、そのカード当接領域内でカードに対して押圧力を加えてもカードが大きく折れ曲がることはない。しかしながら、後面板２０の透孔２４は、そのカード当接領域から外れた位置に設けられているから、カードホルダ１からカードを取り外す場合、カードの前面から透孔２４に向けて押圧力を加えると、カードは、その押圧力が加えられた箇所を中心にして外側に折れ曲がる。したがって、カードを外側に指向させて、カードをつかみやすくすることができる。またその際、透孔２４に突条２５が近接配置され、突条２５を支点として折り曲げることができることから、押圧力を加えた位置を中心とするカードの折れ曲がりをより一層大きくすることができる。
【００３４】
（４）案内面２３は、中央前面板３０ａの基端部３１ａ及び下方前面板３０ｂの基端部３１ｂに向けて形成されている。したがって、カードがカードホルダ１に収容されると、カードの端部は、案内面２３によって両基端部３１ａ、３１ｂにまで到らしめられる。つまり、カードの端部はカードホルダ１の奥行き（後面板２０の基端と前面板３０の基端との間隙）全体を使って折り曲げられることになるため、外側に指向されるカードの端部は、その指向される度合いをより大きくすることができる。
【００３５】
（５）カードは、下方前面板３０ｂの屈曲部３２ｂばかりでなく、中央前面板３０ａの屈曲部３２ａによっても押圧されている。したがって、カードが２箇所で後面板２０と前面板３０とによって押し付けられて挟持されているため、カードは、後面板２０に沿ってより確実に保持することができる。
【００３６】
なお、上記実施形態は、次のように変更して具体化してもよい。
○上記実施形態では、案内面２３は後面板２０の下端側に設けられていたが、案内面２３の後面板２０における形成位置を適宜変更してもよい。たとえば、後面板２０の上端側に設けるように構成し、ガードの上端を外側へ指向するように変更することで、本実施形態と同様の効果を得るようにすることもできる。また、案内面２３を後面板２０の左端側又は右端側に設けるように構成し、カードの左端又は右端を外側へ指向するように変更させることで、より大きな幅を有するカードの収容を可能にするとともに、カードのサイズが規格化されているならば、そのカードを運搬容器２の取付部４１に余裕をもって保持させることが可能となる。
【００３７】
○上記実施形態では、案内面２３は後面板２０の長手方向における幅全体に設けられていたが、これを後面板２０の長手方向における一部のみに設け、案内面２３が設けられていない後面板２０の下端部位は、下面板１０の内側の端部に向けて延びるように設けてもよい。案内面２３は、カードの端部を折り曲げるための構成であるから、その機能さえ果たせば、後面板２０の長手方向の幅全体に形成する必要はない。
【００３８】
○上記実施形態では、案内面２３は、前面板３０の基端に向けて延びるように形成されていたが、これを他の構成に変更してもよい。たとえば、案内面２３を下方に向かうほど徐々に外側に突出するようにするものの、その突出度合を抑えて、下面板１０の中央に向けて延びるように形成してもよい。
【００３９】
○上記実施形態では、案内面２３は、円弧面として提供される構成を採用したが、これを変更しいてもよい。たとえば、後面板２０の下端で屈曲させて前面板３０の基端部３１ａ、３１ｂに向けて斜状に延びるように変更してもよい。案内面２３を凸設させる構成を採用することも可能である。これらの構成によれば、上記実施形態と同様の効果を得ることができる。
【００４０】
○上記実施形態では、案内面２３は後面板２０に設けられていたが、案内面２３は後面板２０のみに設けられるものでなくともよい。たとえば、図８に示すとおり、中央前面板３０ａ及び下方前面板３０ｂのうち少なくとも一方に対して、下方に向かうほど徐々に内側へ突出する案内面２３を形成し、後面板２０との協働によってカード端部を内側へ案内するようにしてもよい。また、図９に示すように、下面板１０の上面にリブ５１を設け、そのリブ５１によって外側へカードの端部が指向するように構成してもよい。リブ５１の上面は、内側が後面板２０に接しつつ、下方に向かうほど外側に突出するような湾曲面として案内面２３が提供されている。
【００４１】
○上記実施形態の突条２５の形状は適宜変更してもよい。具体的には、上記実施形態では、断面形状を四角形状としていたが、これを三角形状としてもよいし、また一直線状に延設されていた形状を途中で切断し、所定間隔をおいて並設するようにしてもよい。
【００４２】
○上記実施形態においては、透孔２４の内周面と突条２５の下面とが面一（連続面）となるように構成したが、透孔２４に近接配置されるのであれば、突条２５の配置を変更してもよい。透孔２４は、カードをカードホルダ１から取り外す場合に押圧力が与えられる部位として提供され、突条２５は、その際にカードの折れ曲がりをより大きくするための支点となるように備えられているのであるが、その機能を果たすのであれば、透孔２４から離間するように突条２５を後面板に配置してもよい。なお、透孔２４の構成に代えて、後面板２０に凹部を設け、この凹部の構成をもって透孔２４と同様に機能させるようにしてもよい。
【００４３】
○上記実施形態では、前面板３０は断面「く」の字形状をなすように構成していたが、この形状を適宜変更してもよい。たとえば、図１０に示すように、前面板３０全体を後面板２０の案内面２３を含む形状と同様に断面円弧形状をなすように構成してもよい。この場合、前面板３０の内側の面は、案内面２３としての機能を果たすことが可能となる。この実施形態では、前面板３０の案内面２３と後面板２０の案内面２３との双方によってカードを保持することから、カードの保持状態が確実に維持される。
【００４４】
次に、上記実施形態及び変更例から把握できる技術的思想について記載する。
○案内面は、少なくとも後面板の下端側に設けられたことを特徴とするカードホルダ。
【図面の簡単な説明】
【００４５】
【図１】本実施形態のカードホルダを示す斜視図。
【図２】本実施形態のカードホルダを示す正面図。
【図３】射出成形後のカードホルダを示す展開図。
【図４】図３の４−４線断面図。
【図５】カードホルダがセットされる運搬容器の側壁を示す正面図。
【図６】カードホルダにカードが収容された状態を示す断面図。
【図７】カードホルダからカードを取り出す際の動作を示す断面図。
【図８】本実施形態の変更例を示す断面図。
【図９】本実施形態の変更例を示す断面図。
【図１０】本実施形態の変更例を示す断面図。
【符号の説明】
【００４６】
１…カードホルダ、１０…下面板、２０…後面板、２３…案内面、２４…透孔、２５…突条、３０…前面板。
【図１】
2006243522.tif 000003
【図２】
2006243522.tif 000004
【図３】
2006243522.tif 000005
【図４】
2006243522.tif 000006
【図５】
2006243522.tif 000007
【図６】
2006243522.tif 000008
【図７】
2006243522.tif 000009
【図８】
2006243522.tif 000010
【図９】
2006243522.tif 000011
【図１０】
2006243522.tif 000012